(57)【要約】【目的】本発明は、払拭体と清掃用具把持部から構成される清掃用具において、汚れた払拭体に触れることなく、前記払拭体を簡単に脱離させることができる清掃用具の払拭体分離機構を提供することを目的としている。【構成】本発明は、清掃用具把持部５０と払拭体１０から構成され、清掃用具把持部５０に設けられた挿入体２０を払拭体１０の袋状部１３に挿入して、挿入体係止ファスナ２４と払拭体係止ファスナ１６を係合して形成される清掃用具１において、前記挿入体係止ファスナ２４と前記グリップ部４０の間に分離部３０を配置し、前記分離部３０は分離環体３１とこれに一体連接される切断体から構成され、前記分離環体３１を移動させて前記切断体により、前記係止ファスナ間の係合を切断して、前記払拭体１０を触らずに前記払拭体１０を前記清掃用具把持部５０から分離する清掃用具１の払拭体分離機構である。【選択図】  図１
2010154886.tif 000002
【特許請求の範囲】
【請求項１】
グリップ部と前記グリップ部の先端に形成される挿入体と前記挿入体の基端部に設けられた挿入体係止ファスナとからなる清掃用具把持部と、内部に形成された袋状部の外周に払拭片を形成して袋状部の挿入口に払拭体係止ファスナを設けた払拭体とから構成され、前記挿入体を前記袋状部に挿入して前記挿入体係止ファスナと前記払拭体係止ファスナを係合して形成される清掃用具において、前記挿入体係止ファスナと前記グリップ部の間に分離部を配置し、前記分離部は分離環体と前記分離環体に一体連接される切断体から構成され、前記分離環体を移動させて前記切断体により、前記挿入体係止ファスナと前記払拭体係止ファスナの係合を切断して、前記払拭体を触らずに前記払拭体を前記清掃用具把持部から分離することを特徴とする清掃用具の払拭体分離機構。
【請求項２】
前記分離環体は前記切断体と一体に前記挿入体方向に進退自在に設けられ、前記切断体は前記分離環体の先端に環状の先細りテーパ部として形成され、前記先細りテーパ部の先端は前記挿入体係止ファスナの表面上を通過するように形成され、前記先細りテーパ部の進退動作により前記挿入体係止ファスナと前記払拭体係止ファスナの係合を切断する請求項１に記載の清掃用具の払拭体分離機構。
【請求項３】
前記挿入体係止ファスナが表面に配置された前記挿入体基端部は基台部を介して前記グリップ部に一体に固定され、前記分離環体は前記基台部に外設され、前記分離環体は前記基台部の表面を進退自在に設けられる請求項２に記載の清掃用具の払拭体分離機構。
【請求項４】
前記分離環体には前記挿入体方向に長手状のスリットが穿孔され、前記基台部にはピンが突設され、前記ピンは前記スリットの内部に配置され、前記スリットの両端が前記ピンに阻止されて前記分離環体の進退動作が規制される請求項３に記載の清掃用具の払拭体分離機構。
【請求項５】
前記分離環体は前記切断体と一体に回動自在に設けられ、前記切断体は前記分離環体から前記挿入体方向に突設された1本以上の分離爪であり、前記分離爪の先端は前記挿入体係止ファスナの先端縁の近傍位置まで設けられ、前記分離環体の回動により前記分離爪が周回して前記挿入体係止ファスナと前記払拭体係止ファスナの係合を切断する請求項１に記載の清掃用具の払拭体分離機構。
【請求項６】
前記挿入体係止ファスナが表面に配置された前記挿入体基端部は基台部を介して前記グリップ部に一体に固定され、前記分離環体は前記基台部に外設され、前記分離環体は前記基台部の表面を回動自在に設けられる請求項５に記載の清掃用具の払拭体分離機構。
【請求項７】
前記分離環体は前記切断体と一体に前記挿入体方向に進退自在に且つ前記挿入体方向の軸線回りに回動自在に設けられ、前記切断体は前記分離環体の先端に環状の先細りテーパ部として形成され、前記先細りテーパ部の先端は前記挿入体係止ファスナの表面上を通過するように形成され、前記先細りテーパ部の進退動作又は前記先細りテーパ部の進退動作と前記分離環体の回動動作により前記挿入体係止ファスナと前記払拭体係止ファスナの係合を切断する請求項１に記載の清掃用具の払拭体分離機構。
【請求項８】
前記挿入体に前記先細りテーパ部を係止する係止突起が設けられ、前記係止突起により前記挿入体係止ファスナと前記払拭体係止ファスナの係合を切断して前記挿入体方向に進行する前記先細りテーパ部を係止する請求項７に記載の清掃用具の払拭体分離機構。
【発明の詳細な説明】
【技術分野】
【０００１】
本発明は、払拭体とこれを把持する清掃用具把持部からなる清掃用具に関し、更に詳細には、挿入体係止ファスナが挿入体の基端部に形成された清掃用具把持部と、外周に払拭片が形成された袋状部の挿入口に払拭体係止ファスナを設けた払拭体とから構成され、前記挿入体を前記袋状部に挿入して各々の前記係止ファスナを係合して形成される清掃用具の払拭体分離機構に関する。
【背景技術】
【０００２】
一般に、上述のような清掃用具は、布地、スポンジ、パイル生地などからなる払拭体を有し、タンスなどの家具、テレビやステレオなどの電化製品、フロア面などを清掃するために使用されている。払拭体は掃除回数が増えるに従い汚れていくため、家庭や職場で又はレンタル業者によって、定期的に新しいものや洗浄されたものに交換される。この取替えや交換の手間を簡単にするために、払拭体とその把持部に設けられた係止ファスナの係合又は分離により、払拭体と把持部を簡易に着脱する着脱構造が採用されている。
【０００３】
実開平１−１５５９５８号公報（特許文献１）には、係止ファスナを用いた前記着脱機構を有する清掃用具が記載されている。図１９は、特許文献１に記載される従来の清掃用具Ｂ１４４を示す外観斜視図である。清掃用具Ｂ１４４は、払拭体Ｂ１００とこれを把持する清掃用具把持部Ｂ１１３から構成されている。前記払拭体Ｂ１００は、基布Ｂ１０４、１０４からなる袋状部Ｂ１０５と、その挿入口Ｂ１０１に縫着され、係止突片Ｂ１０７が設けられた上下２枚の払拭体係止ファスナＢ１０６、１０６と、袋状部Ｂ１０５の外周に植設された払拭片Ｂ１０８から形成されている。前記清掃用具把持部Ｂ１１３は、グリップ部Ｂ１０２と、その先端に形成される挿入体Ｂ１１４と、連結部１１１に設けられた挿入体係止ファスナＢ１１２から構成されている。前記挿入体Ｂ１１４は、ループ部Ｂ１０９の両端にあるループ部基端部１０９ａ、１０９ａが連結部１１１に取付けられてループ状に形成されている。この挿入体Ｂ１１４を挿入口Ｂ１０１から袋状部Ｂ１０５に挿入し、挿入体係止ファスナＢ１１２、１１２に払拭体係止ファスナＢ１０６、１０６を各々係合させて清掃用具が形成される。
【０００４】
【特許文献１】実開平１−１５５９５８号公報
【発明の開示】
【発明が解決しようとする課題】
【０００５】
図１９に示すように、従来の清掃用具１４４において、汚れた払拭体Ｂ１００を清掃用具把持部Ｂ１１３から脱着する場合、作業者が直接、手で挿入口Ｂ１０１を開いて、払拭体係止ファスナＢ１０６、１０６を挿入体係止ファスナＢ１１２、１１２から分離させる必要があった。即ち、汚れた払拭体Ｂ１００に作業者の手が直接触れるため、衛生上の問題と共に、作業者に不快感を与えるという問題があった。更に、特許文献１に記載される払拭体係止ファスナＢ１０６、１０６では、挿入体係止ファスナＢ１１２、１１２だけでなく相互に係合するため、これを手で上限に分離すると比較的大きな振動が払拭体Ｂ１００全体に伝わることから、付着した塵埃等が周囲に飛散する虞があった。
【０００６】
従って、本発明は、汚れた払拭体に触れることなく、係止ファスナの係合を分離させ、清掃用具把持具から払拭体を簡単に脱離させることができる清掃用具の払拭体分離機構を提供して、清掃用具の使用者等が払拭体の交換作業をより衛生的に且つ簡便に行えると共に、交換時の不快感を解消することを目的とする。
【課題を解決するための手段】
【０００７】
本発明は前記課題を解決するためになされたものであり、本発明の第１の形態は、グリップ部と前記グリップ部の先端に形成される挿入体と前記挿入体の基端部に設けられた挿入体係止ファスナとからなる清掃用具把持部と、内部に形成された袋状部の外周に払拭片を形成して袋状部の挿入口に払拭体係止ファスナを設けた払拭体とから構成され、前記挿入体を前記袋状部に挿入して前記挿入体係止ファスナと前記払拭体係止ファスナを係合して形成される清掃用具において、前記挿入体係止ファスナと前記グリップ部の間に分離部を配置し、前記分離部は分離環体と前記分離環体に一体連接される切断体から構成され、前記分離環体を移動させて前記切断体により、前記挿入体係止ファスナと前記払拭体係止ファスナの係合を切断して、前記払拭体を触らずに前記払拭体を前記清掃用具把持部から分離する清掃用具の払拭体分離機構である。
【０００８】
本発明の第２の形態は、第１の形態において、前記分離環体は前記切断体と一体に前記挿入体方向に進退自在に設けられ、前記切断体は前記分離環体の先端に環状の先細りテーパ部として形成され、前記先細りテーパ部の先端は前記挿入体係止ファスナの表面上を通過するように形成され、前記先細りテーパ部の進退動作により前記挿入体係止ファスナと前記払拭体係止ファスナの係合を切断する清掃用具の払拭体分離機構である。
【０００９】
本発明の第３の形態は、第２の形態において、前記挿入体係止ファスナが表面に配置された前記挿入体基端部は基台部を介して前記グリップ部に一体に固定され、前記分離環体は前記基台部に外設され、前記分離環体は前記基台部の表面を進退自在に設けられる清掃用具の払拭体分離機構である。
【００１０】
本発明の第４の形態は、第３の形態において、前記分離環体には前記挿入体方向に長手状のスリットが穿孔され、前記基台部にはピンが突設され、前記ピンは前記スリットの内部に配置され、前記スリットの両端が前記ピンに阻止されて前記分離環体の進退動作が規制される清掃用具の払拭体分離機構である。
【００１１】
本発明の第５の形態は、第１の形態において、前記分離環体は前記切断体と一体に回動自在に設けられ、前記切断体は前記分離環体から前記挿入体方向に突設された1本以上の分離爪であり、前記分離爪の先端は前記挿入体係止ファスナの先端縁の近傍位置まで設けられ、前記分離環体の回動により前記分離爪が周回して前記挿入体係止ファスナと前記払拭体係止ファスナの係合を切断する清掃用具の払拭体分離機構である。
【００１２】
本発明の第６の形態は、第５の形態において、前記挿入体係止ファスナが表面に配置された前記挿入体基端部は基台部を介して前記グリップ部に一体に固定され、前記分離環体は前記基台部に外設され、前記分離環体は前記基台部の表面を回動自在に設けられる清掃用具の払拭体分離機構である。
【００１３】
本発明の第７の形態は、第１の形態において、前記分離環体は前記切断体と一体に前記挿入体方向に進退自在に且つ前記挿入体方向の軸線回りに回動自在に設けられ、前記切断体は前記分離環体の先端に環状の先細りテーパ部として形成され、前記先細りテーパ部の先端は前記挿入体係止ファスナの表面上を通過するように形成され、前記先細りテーパ部の進退動作又は前記先細りテーパ部の進退動作と前記分離環体の回動動作により前記挿入体係止ファスナと前記払拭体係止ファスナの係合を切断する清掃用具の払拭体分離機構である。
【００１４】
本発明の第８の形態は、第７の形態において、前記挿入体に前記先細りテーパ部を係止する係止突起が設けられ、前記係止突起により前記挿入体係止ファスナと前記払拭体係止ファスナの係合を切断して前記挿入体方向に進行する前記先細りテーパ部を係止する清掃用具の払拭体分離機構である。
【発明の効果】
【００１５】
本発明の第１の形態によれば、前記挿入体係止ファスナと前記グリップ部の間に分離部を配置し、前記分離部は分離環体と前記分離環体に一体連接される切断体から構成され、前記分離環体を移動させて前記切断体により、前記挿入体係止ファスナと前記払拭体係止ファスナの係合を切断するから、前記払拭体を触らずに前記払拭体を前記清掃用具把持部から比較的簡易に分離することができる。即ち、作業者は、手で前記分離環体を移動させるだけで前記係止ファスナ間の係合を切断することができ、前記払拭体を直接触らずに脱着することができる。従って、払拭体の交換作業をより衛生的に且つ簡便に行えると共に、交換時の不快感を解消することができる。更に、前記分離部は、分離環体と前記分離環体に一体連接される切断体から構成される比較的簡単な構造を有するから、製造コストを抑制することができる。尚、前記払拭片には、パイル、スポンジ、不織紙、束子材など種々の清掃用払拭片を用いることができる。
【００１６】
本発明の第２の形態によれば、前記分離環体は前記切断体と一体に前記挿入体方向に進退自在に設けられ、前記切断体は前記分離環体の先端に環状の先細りテーパ部として形成され、前記先細りテーパ部の先端は前記挿入体係止ファスナの表面上を通過するように形成されるから、前記先細りテーパ部の進退動作により前記挿入体係止ファスナと前記払拭体係止ファスナの係合を円滑に切断することができる。即ち、前記先細りテーパ部の先端で前記係止ファスナ間の係合を切断するから、対向して係合する前記係止ファスナの係止突片に対して鉛直な方向から前記先端で力を加えると共に、前記テーパ部によって前記係止ファスナ間の距離を端部から徐々に引離していくため、比較的小さな力で前記係合を切断することができる。換言すれば、簡単且つ円滑に前記払拭体を脱着できると共に、脱着時に加えられる衝撃や振動が小さいため、前記払拭体に付着した塵埃等の飛散を防止することができる。
【００１７】
本発明の第３の形態によれば、前記挿入体係止ファスナが表面に配置された前記挿入体基端部は基台部を介して前記グリップ部に一体に固定され、前記分離環体は前記基台部に外設され、前記分離環体が前記基台部の表面を進退自在に設けられるから、前記分離環体を短時間且つ安定に移動させて前記切断体により前記係止ファスナ間の係合を切断することができる。即ち、前記分離環体は、前記挿入体基端部が一体に固定された基台部に外設されており、前記挿入体係止ファスナが表面に配置された前記挿入体基端部まで前記分離環体を速やか且つ円滑に移動させることができる。前記挿入体基端部と前記基台部は、熱可塑性樹脂などの一体成型加工により形成されることが好ましく、耐久性を格段に向上させることができ、前記分離環体を繰り返し移動させても破損することがなく、長期間に亘って本発明に係る清掃用具を使用することができる。
【００１８】
本発明の第４の形態によれば、前記分離環体には前記挿入体方向に長手状のスリットが穿孔され、前記基台部にはピンが突設され、前記ピンは前記スリットの内部に配置され、前記スリットの両端が前記ピンに阻止されて前記分離環体の進退動作が規制されるから、より安定に前記分離環体を所定位置まで移動させ、より確実に前記係合ファスナ間の係合を切断することができる。前記払拭体を脱着させる作業者は、前記進退動作が規制に従って前記分離環体を移動させれば、前記係合ファスナ間の係合状態を確認することなく、自動的にその係合を切断することができる。
【００１９】
本発明の第５の形態によれば、前記分離環体は前記切断体と一体に回動自在に設けられ、前記切断体は前記分離環体から前記挿入体方向に突設された1本以上の分離爪であり、前記分離爪の先端は前記挿入体係止ファスナの先端縁の近傍位置まで設けられ、前記分離環体の回動により前記分離爪が周回して前記挿入体係止ファスナと前記払拭体係止ファスナの係合を切断するから、脱着時に前記払拭体に対して加えられる衝撃や振動が抑制され、前記払拭体に付着した塵埃等の飛散を防止することができる。即ち、前記分離環体の回動によって直接的に上下、左右及び前後方向に振動や衝撃が加えられることが殆どないため、塵埃等の飛散を防止しながら前記払拭体を簡単且つ円滑に脱着することができる。
【００２０】
本発明の第６の形態によれば、前記挿入体係止ファスナが表面に配置された前記挿入体基端部は基台部を介して前記グリップ部に一体に固定され、前記分離環体は前記基台部に外設され、前記分離環体は前記基台部の表面を回動自在に設けられるから、前記分離環体をより安定に回動させて前記係止ファスナ間の係合を切断することができる。更に、前記挿入体基端部が基台部に一体に固定され、その基台部に前記分離環体が外設されるから、前記分離環体の回動動作に対して好適な耐久性を付与することができる。また、前記第３の形態と同様に、前記挿入体基端部と前記基台部は、熱可塑性樹脂などにより一体形成されることが好ましく、耐久性を格段に向上させることができる。
【００２１】
本発明の第７の形態によれば、前記先細りテーパ部の進退動作又は前記先細りテーパ部の進退動作と前記分離環体の回動動作により前記係止ファスナ間の係合を切断するから、手で前記払拭体に接触することなく、確実に前記払拭体を清掃用具把持具から分離することができる。更に、前記分離環体は、前記切断体と一体に前記挿入体方向に進退自在に且つ前記挿入体方向の軸線回りに回動自在に設けられている。換言すれば、前記分離環体の移動方向を規制する部材を設ける必要がないか又は簡単な規制機構を設けるだけで良く、簡単な構造を有することから、製造コストを低減化することができる。前記切断体は前記分離環体の先端に環状の先細りテーパ部として形成され、前記先細りテーパ部の先端が前記挿入体係止ファスナの表面上を通過するように形成されるから、前記係止ファスナ間の係合を円滑に切断することができる。更に、前記分離環体の進退動作と回動動作の両方を同時に又は順次行うことができ、前記係止ファスナ間の係合を切断しながら前記分離環体を左右に回転させれば、前記払拭体を揺動させるような力が作用し、前記払拭体をより確実に分離することができる。
【００２２】
本発明の第８の形態によれば、前記挿入体に前記先細りテーパ部を係止する係止突起が設けられるから、前記係止突起により前記挿入体係止ファスナと前記払拭体係止ファスナの係合を切断して、更に前記挿入体方向に進行する前記先細りテーパ部を係止することができる。従って、前記先細りテーパ部が形成された前記分離環体が前記清掃用具把持具から脱離したり、前記分離環体を把持した指先が汚れた前記払拭体に接触したりすることを防止することができる。
【発明を実施するための最良の形態】
【００２３】
以下に、本発明に係る清掃用具の払拭体分離機構の実施形態を添付する図面に従って詳細に説明する。
図１は、本発明に係る第１実施形態の払拭体分離機構が設けられた清掃用具１の外観斜視図である。図１には、払拭体１０が清掃用具把持部５０から分離された状態の清掃用具１が示されている。清掃用具把持部５０は、挿入体２０、分離部３０及びグリップ部４０から構成され、前記払拭体１０には、前記挿入体２０を挿入する挿入口１４が設けられている。前記挿入体２０は、ループ部２１、このループ部２１を支持する弾性体２２、前記ループ部２１が一体に固定された挿入体基端部２３及びこの挿入体基端部２３に巻回固着された挿入体ファスナ２４から構成されている。
【００２４】
前記分離部３０は、分離環体３１、基台部３２、この基台部３２に一体に形成された突部３５及び環状部３６から構成されている。この基台部３２には前記分離環体３１が外設され、前記分離環体３１が矢印ａで示した挿入体方向（「スラスト方向」とも称される）へ進退自在に設けられている。更に、前記分離環体３１に穿孔されたスリット３３の内部に前記基台部３２に突設されたピン３４が配置され、前記スリット３３の両端が前記ピン３４に阻止されて前記分離環体３１の進退動作が規制されている。このスリット３３の長さは、前記分離環体３１が前記挿入体係止ファスナ２４の表面上を通過して先端縁２４ａ又はその近傍に到達する切断位置まで可動となるように設計されている。更に、前記突部３５は、前記基台部３２に一体に形成されているため、前記グリップ部４０を片手で把持しながら前記突部３５の上面に指を添えることにより、後述するグリップ部４０の伸縮を抑えながら、前記分離環体３１をもう片方の手で矢印ａのスラスト方向に移動させることが可能である。また、前記突部３５は、補助的に前記分離環体３１の進退動作を規制しており、前記ピン３４に対して大きな負荷が加えられることを防止することが可能である。
【００２５】
前記グリップ部４０は、縮径管４１と孔部４３が設けられたグリップ管４２から構成され、片手で握ることが可能なサイズを有する。前記縮径管４１は、前記グリップ管４２にその一端から可動状態で挿入され、前記グリップ部４０が伸縮自在に設けられている。前記縮径管４１には、前記基台部３２を介して前記挿入体基端部２３が一体に固定されている。前記グリップ部４０の収縮時には、前記環状部３６によりグリップ管４２の端面が接触し、前記グリップ部４０が収縮状態となる。伸縮状態や伸長状態で前記縮径管４１とグリップ管４２を互いにロックさせる手段としては、ボタン嵌合、弾性部材による押圧等の様々な技術を採用することができる。図１に示したグリップ管４２には、ボタン嵌合用の孔部４３が設けられており、詳細な構造については後述する。
【００２６】
図２は、図１の払拭体１０が清掃用具把持部５０に取付られて使用状態にある清掃用具１の外観斜視図である。以下、同一部材については、同一の符号を付しており、既出の部材に関する詳細な説明は省略する。図２では、図１に示した挿入口１４に前記挿入体２０が挿入され、前記払拭体１０が分離部３０に到達するように配置されている。本発明に係る清掃用具は、この状態で清掃に用いられ、払拭体１０の汚れが酷くなった段階で、図１に示したように払拭体１０が交換のため脱着される。
【００２７】
図３は、本発明に係る払拭体１０の断面概略図である。前記払拭体１０には、払拭片１１が基布１２からなる袋状部１３の外周に形成され、前記挿入口１４が設けられた前記袋状部１３の入口部１５に、払拭体係止ファスナ１６が設けられている。前記払拭体係止ファスナ１６は基布１７とこの基布１７上に植設された係止フック１８から形成されている。前記払拭片１１には、パイル、スポンジ、不織紙、束子材など種々の清掃用払拭片を用いることができる。
【００２８】
図４は、本発明に係る第１実施形態の払拭体分離機構が設けられた清掃用具把持部５０の部分断面図である。前記挿入体２０、前記挿入体基端部２３、基台部３２、突部３５及び環状部３６は一体に形成され、前記挿入体基端部２３の表面には、挿入体係止ファスナ２４が固着されている。前記分離環体３１は、前記縮径管４１が嵌合されて前記グリップ部４０に固定された基台部３２の表面に外設され、挿入体方向に進退自在に設けられている。更に、前記分離環体３１の先端には、前記挿入体係止ファスナ２４と前記払拭体係止ファスナ１６の係合を切断する切断体として環状の先細りテーパ部３１ａが形成されている。また、前記グリップ部４０の伸長状態では、前記グリップ管４２の孔部４３に前記縮径管４１に設けられた伸縮用ボタン４４が嵌合して、前記縮径管４１とグリップ管４２がロックされる。前記伸縮用ボタン４４は、弾性部材を介して前記縮径管４１に固定されており、前記孔部４３が設けられた位置で突出して嵌合され、収縮状態にする場合には、前記グリップ管４２が前記伸縮用ボタン４４上の滑らかな曲面を押すことによって前記縮径管４１内に収納される。
【００２９】
図５は、本発明に係る第１実施形態の払拭体分離機構が設けられた清掃用具把持部５０の拡大外観斜視図である。前述のように、前記分離環体３１に穿孔されたスリット３３の内部に前記基台部３２に突設されたピン３４が配置され、前記スリット３３の両端が前記ピン３４に阻止されて前記分離環体３１の進退動作が規制されている。図５では、前記分離環体３１がグリップ部４０側に近接する装着位置に配置されている。この装着位置に分離環体３１が位置する場合、前記ピン３４は、前記スリット３３の内面端部によりロックされ、前記分離環体３１が装着位置に安定に固定される。ロック状態にある分離環体３１を強制的に移動させることにより、前記ピン３４は、前記スリット３３に沿って進退自在となり、分離環体３１のロック状態が解除される。前記スリット３３の長さは、前記先細りテーパ部３１ａが前記挿入体係止ファスナ２４の表面上を通過してその先端縁又は先端縁近傍に到達するように設計されている。
【００３０】
図６は、本発明に係る第１実施形態の清掃用具把持部５０に払拭体１０が挿入された状態を示す部分断面図である。前記袋状部１３に前記挿入体２０が挿入され、前記挿入体基端部２３の表面に固着された挿入体係止ファスナ２４と前記入口部１５の内面に固着された払拭体係止ファスナ１６が係合している。前記袋状部１３は、先細りテーパ部３１ａに到達するまで挿入されることが好ましいが、前記先細りテーパ部３１ａに到達していない場合においても前記係止ファスナ間の係合を容易に固着するように設計されている。
【００３１】
図７は、図５の分離環体３１を切断位置まで移動させた清掃用具把持部５０の拡大外観斜視図である。前述のように、前記切断位置は、前記分離環体３１が前記挿入体係止ファスナ２４の表面上を通過して先端縁２４ａ又はその近傍に到達した位置であり、前記清掃用具把持具５０に払拭体１０が取付けられている場合、図６に示した前記係止ファスナ間の係合が切断される。図７に示すように、前記ピン３４は、前記スリット３３によって規制されており、前記分離環体３１は前記切断位置から矢印ａのスラスト方向に進むことはない。
【００３２】
図８は、図６における分離環体３１を切断位置まで移動させた清掃用具１の部分断面図であり、図９は、図８の払拭体１０が分離された状態を示す部分断面図である。前記分離環体３１を挿入体２０の側のスラスト方向に進行させると、前記先細りテーパ部３１ａにより前記挿入体係止ファスナ２４と前記払拭体係止ファスナ１６の係合が切断されていく。図８に示すように、前記先細りテーパ部３１ａの先端が前記挿入体係止ファスナ２４の表面を通過すると、前記分離環体３１により完全に前記係止ファスナ間の係合が切断される。従って、図９に示すように、挿脱自在に設けられた前記払拭体１０が挿入体２０から分離される。前記払拭体１０を分離させる際には、清掃用具１の払拭体側を下方に向ければ、前記払拭体１０が自重により分離されるよう設計されることが好ましく、払拭体１０を手で把持することなく分離させることができると共に、清掃用具１に振動や衝撃が加えられないため、塵埃等の飛散が抑制される。
【００３３】
図１０は、本発明に係る第２実施形態の払拭体分離機構が設けられた清掃用具把持部５０の拡大外観斜視図であり、図１１は、図１０の分離環体３１を回動させた状態を示す拡大外観斜視図である。尚、第１実施形態と共通の部材及び同様の機能を有する部材には、同一符号を付しており、異なる作用を有さない部材については詳細な説明は省略する。前記分離環体３１は、その先端に突設された分離爪３１ｂ、３１ｂからなる切断体と一体に形成され、回動自在に設けられている。前記分離爪３１ｂ、３１ｂは、前記分離環体３１の先端にある先細りテーパ部３１ａと一体に固定され、前記分離爪３１ｂ、３１ｂの先端は前記挿入体係止ファスナ２４の先端縁２４aの近傍まで設けられている。前記分離環体３１を矢印ｂの回動方向へ回動させると、図１１に示すように、前記分離爪３１ｂ、３１ｂが前記挿入体係止ファスナ２４の表面に沿って回動する。従って、前記分離環体３１の回動により前記分離爪３１ｂ、３１ｂが周回して前記挿入体係止ファスナ２４と前記払拭体係止ファスナ１６の係合が切断される。
【００３４】
図１２は、本発明に係る第２実施形態の分離状態を示す拡大側面図、図１３は拡大上面図であり、図１４は第２実施形態の払拭体分離機構が設けられた清掃用具把持部５０の正面図である。前記分離爪３１ｂ、３１ｂは、前記挿入体基端部２３の表面に固着された挿入体係止ファスナ２４の先端縁２４aの近傍まで設けられている。図１２及び図１３に示す前記分離爪３１ｂ、３１ｂは、前記挿入体基端部２３の側面に配置されている。図１４に示すように、前記挿入体基端部２３の断面には、長手方向と短手方向があり、長手方向の両端に前記挿入体基端部２３の側面がある。前記分離爪３１ｂ、３１ｂの間隔は、前記挿入体基端部２３の断面における長手方向の直径より大きく設定され、前記分離爪３１ｂ、３１ｂが挿入体係止ファスナ２４の表面上に回動自在に設けられている。図１２〜図１３に示した前記分離爪３１ｂ、３１ｂの位置は、前記第１実施形態の装着位置に対応し、露出した挿入体係止ファスナ２４の表面に前記払拭体係止ファスナ１６が係合される。
【００３５】
図１５は、図１３の分離環体３１を切断位置まで回動させた分離状態を示す拡大上面図である。図１５では、前記分離爪３１ｂ、３１ｂが前記挿入体係止ファスナ２４の表面に沿って回動されて切断位置に配置されている。即ち、図１４に示した前記挿入体基端部２３の短手方向にある挿入体係止ファスナ２４の上部に前記分離爪３１ｂ、３１ｂが配置される。このとき、前記挿入体係止ファスナ２４の表面と前記分離爪３１ｂ、３１ｂの間には間隔が設けられる。従って、前記分離環体３１を回動させると、周回する分離爪３１ｂ、３１ｂにより前記挿入体係止ファスナ２４と前記払拭体係止ファスナ１６の係合が切断されると共に、これらの係止ファスナが分離する。
【００３６】
図１６は、本発明に係る第３実施形態の払拭体分離機構が設けられた清掃用具把持具５０の拡大外観斜視図である。前記分離環体３１が矢印ａの挿入体方向に進退自在に設けられると共に、前記分離環体３１が前記挿入体方向の軸線回りに矢印ｂの方向に回動自在に設けられている。従って、前記先細りテーパ部３１ａの先端が前記挿入体係止ファスナ２４の表面上を通過する進退動作と前記分離環体３１の回動動作により前記挿入体係止ファスナ２４と前記払拭体係止ファスナ１６の係合が切断される。尚、前記分離環体３１の回転動作は、適宜に行うことができ、前記係止ファスナ間の係合を切断しながら前記分離環体３１を左右に回転させれば、前記払拭体１０を揺動させるような力が作用して、前記払拭体がより確実に分離される。更に、ループ部２１には、係止突起２１ａ、２１ａが設けられ、前記係止ファスナ間の係合を切断した後、さらに前記挿入体方向に進行する前記先細りテーパ部３１aが形成された分離環体３１を係止することができる。従って、前記先細りテーパ部３１aが形成された前記分離環体３１が前記清掃用具把持部５０から脱離したり、前記分離環体を把持した指先が汚れた前記払拭体１０に接触したりすることを防止することができる。
【００３７】
図１７は、図１６に示した清掃用具把持具５０の部分断面図である。図１６における分離環体３１は、前記基台部３２に設けられた突起３２aが前記分離環体３１の内面に設けられた孔３１cに嵌合して、前記分離環体３１が前記基台部３２にロックされている。図１８は、図１６に示した分離環体３１を前記切断位置まで移動させた清掃用具把持部５０の拡大外観斜視図である。前記分離環体３１の矢印ａ方向への進退動作と矢印ｂ方向への回動動作により、前記清掃用具把持部５０から前記払拭体１０が分離される。
【００３８】
本発明は上記実施形態に限定されるものではなく、本発明の技術的思想を逸脱しない範囲における種々の変形例及び設計変更をその技術的範囲内に包含するものであることは云うまでもない。
【産業上の利用可能性】
【００３９】
本発明に係る清掃用具の払拭体分離機構によれば、汚れた払拭体に触れることなく、係止ファスナの係合を分離させ、清掃用具把持具から払拭体を簡単に脱離させることができるモップ等の清掃用具を提供することができる。従って、家庭や職場などにおける清掃用具の使用者又は清掃用具のレンタル業者によって、前記払拭体を新しいものや洗浄されたものに交換する場合、払拭体の交換作業をより衛生的に且つ簡便に行うことができる。
【図面の簡単な説明】
【００４０】
【図１】本発明に係る第１実施形態の払拭体分離機構が設けられた清掃用具の外観斜視図である。
【図２】図１の払拭体が清掃用具把持部に取付けられた状態にある清掃用具の外観斜視図である。
【図３】本発明に係る払拭体の断面概略図である。
【図４】本発明に係る第１実施形態の払拭体分離機構が設けられた清掃用具把持部の部分断面図である。
【図５】本発明に係る第１実施形態の払拭体分離機構が設けられた清掃用具把持部の拡大外観斜視図である。
【図６】本発明に係る第１実施形態の清掃用具把持部に払拭体が挿入された状態を示す部分断面図である。
【図７】図５の分離環体を切断位置まで移動させた清掃用具把持部の拡大外観斜視図である。
【図８】図６における分離環体を切断位置まで移動させた清掃用具の部分断面図でる。
【図９】図８の払拭体が分離された状態を示す部分断面図である。
【図１０】本発明に係る第２実施形態の払拭体分離機構が設けられた清掃用具把持部の拡大外観斜視図である。
【図１１】図１０の分離環体を回動させた状態を示す拡大外観斜視図である。
【図１２】本発明に係る第２実施形態の分離部を示す拡大側面図である。
【図１３】本発明に係る第２実施形態の分離部を示す拡大上面図である。
【図１４】本発明に係る第２実施形態の分離部を示す拡大正面図である。
【図１５】図１３の分離環体を切断位置まで回動させた分離部を示す拡大上面図である。
【図１６】本発明に係る第３実施形態の払拭体分離機構が設けられた清掃用具把持部の拡大外観斜視図である。
【図１７】図１６に示した清掃用具把持部の部分断面図である。
【図１８】図１６に示した分離環体を切断位置まで移動させた清掃用具把持部の拡大外観斜視図である。
【図１９】従来の清掃用具を示す外観斜視図である。
【符号の説明】
【００４１】
１        清掃用具
１０      払拭体
１１      払拭片
１２      基布
１３      袋状部
１４      挿入口
１５      入口部
１６      払拭体係止ファスナ
１７      基布
１８      係止フック
２０      挿入体
２１      ループ部
２１ａ    係止突起
２２      弾性体
２３      挿入体基端部
２４      挿入体係止ファスナ
２４ａ    先端縁
２６      係止フックＢ
３０      分離部
３１      分離環体
３１ａ    先細りテーパ部
３１ｂ    分離爪
３１ｃ    孔
３２      基台部
３２ａ    突起
３３      スリット
３４      ピン
３５      突部
３６      環状部
４０      グリップ部
４１      縮径管
４２      グリップ管
４３      孔部
４４      伸縮用ボタン
５０      清掃用具把持部
１００    払拭体Ｂ
１０１    挿入口Ｂ
１０２    グリップ部Ｂ
１０４    基布Ｂ
１０５    袋状部Ｂ
１０６    払拭体係止ファスナＢ
１０７    係止突片Ｂ
１０８    払拭片Ｂ
１０９    ループ部Ｂ
１０９ａ  ループ部基端
１１１    連結部
１１２    挿入体係止ファスナＢ
１１３    清掃用具把持部Ｂ
１１４    挿入体Ｂ
１４４    清掃用具Ｂ
【図１】
2010154886.tif 000003
【図２】
2010154886.tif 000004
【図３】
2010154886.tif 000005
【図４】
2010154886.tif 000006
【図５】
2010154886.tif 000007
【図６】
2010154886.tif 000008
【図７】
2010154886.tif 000009
【図８】
2010154886.tif 000010
【図９】
2010154886.tif 000011
【図１０】
2010154886.tif 000012
【図１１】
2010154886.tif 000013
【図１２】
2010154886.tif 000014
【図１３】
2010154886.tif 000015
【図１４】
2010154886.tif 000016
【図１５】
2010154886.tif 000017
【図１６】
2010154886.tif 000018
【図１７】
2010154886.tif 000019
【図１８】
2010154886.tif 000020
【図１９】
2010154886.tif 000021